(57)【要約】【課題】音鳴りを防止することができる軒樋支持具の補強部材を提供する。【解決手段】建物の鼻隠し板に基端面２０ｄを当接させた際に先端２０ａが軒先の方向に突出するとともに、前記軒先の方向に交叉する方向に張り出した張出壁部２０を備え、張出壁部２０には、前記鼻隠し板から前記軒先の方向に突出する軒樋支持具本体２に左右方向から当接して軒樋支持具本体２を支持する当接面２４，２４が形成され、当接面２４，２４は、軒樋支持具本体２の少なくとも長手方向中央から先端までの位置で当接可能に形成されている、補強部１Ａを有することを特徴とする。【選択図】図１
2015200075.tif 000002
【特許請求の範囲】
【請求項１】
建物の鼻隠し板に基端面を当接させた際に先端が軒先の方向に突出するとともに、前記軒先の方向に交叉する方向に張り出した張出壁部を備え、
この張出壁部には、前記鼻隠し板から前記軒先の方向に突出する軒樋支持具本体に左右方向から当接してこの軒樋支持具本体を支持する当接面が形成され、
前記当接面は、前記軒樋支持具本体の少なくとも長手方向中央から先端までの位置で当接可能に形成されている、補強部を有することを特徴とする樹脂製軒樋支持具。
【請求項２】
前記張出壁部の幅寸法は、先端に向かって漸次小さくなっていることを特徴とする請求項１に記載の樹脂製軒樋支持具。
【請求項３】
前記当接面は、前記軒樋支持具本体の前記長手方向中央と同先端との間の位置から前記長手方向中央と前記軒樋支持具本体の基端との間の位置に亘って、前記張出壁部の突出方向に沿って延在するとともに、前記軒樋支持具本体の幅方向両端を挟み込む寸法を空けて二つ形成されていることを特徴とする請求項１又は２に記載の樹脂製軒樋支持具。
【請求項４】
前記張出壁部は、前記鼻隠し板に固定させる固定部を有していることを特徴とする請求項１から３のいずれか一項に記載の樹脂製軒樋支持具。
【発明の詳細な説明】
【技術分野】
【０００１】
本発明は、曲げ剛性を強化した樹脂製軒樋支持具に関する。
【背景技術】
【０００２】
樹脂製軒樋（以下単に「軒樋」という）は、その上端に形成された耳部を樹脂製軒樋支持具（以下単に「軒樋支持具」という）のアーム部の先端及びアーム部の基端側に設けられた被係止部に係止させて軒先に設置されている。樹脂製軒樋は、直射日光や冷気等の温度変化の影響を受けやすい軒先に設置され、風雨等の外力にさらされるものであるため、軒樋が熱や外力によりその長手方向に膨張又は収縮したり風雨等で揺動したりすることがある。軒樋がその長手方向に伸縮等すると、耳部と前記アーム部の被係止部との摩擦力により軒樋がアーム部先端側の被係止部を引っ張るため、アーム部が弾性変形する。そして、アーム部の変形量が一定以上になると、このアーム部の弾性復帰力が摩擦力に勝って弾性復帰し、軒樋の耳部との間で例えば「バチッ」という跳ね返り音を発生させることがある。
そこで従来より、このような軒樋支持具が変形して弾性復帰した際に生じる跳ね返り音の発生を防止するために、各種開発がされている（例えば、特許文献１）。
【先行技術文献】
【特許文献】
【０００３】
【特許文献１】特開２００１−４０８３７号公報
【発明の概要】
【発明が解決しようとする課題】
【０００４】
ところで、特許文献１の発明は、ポリカーボネート樹脂製の軒樋の耳部に充填材を含有させることにより充填剤が耳部表面に突出して微小突起が形成され、軒樋支持具との摩擦力の発生を減少させて滑りやすくすることにより、音鳴りを防止するものである。しかし、既設の軒樋に対して音鳴りを防止するためには、軒樋の全体を交換する必要があり経済的ではなかった。また、経時劣化により微小突起が削れてしまうことがあるため、音鳴りの発生防止を長期間維持できるものではなかった。
【０００５】
本発明は、上記問題に鑑みて、半永久的に簡便に音鳴りを防止することができる曲げ剛性が強化された樹脂製軒樋支持具を提供することを課題とする。
【課題を解決するための手段】
【０００６】
本発明の樹脂製軒樋支持具は、建物の鼻隠し板に基端面を当接させた際に先端が軒先の方向に突出するとともに、前記軒先の方向に交叉する方向に張り出した張出壁部を備え、この張出壁部には、前記鼻隠し板から前記軒先の方向に突出する軒樋支持具本体に左右方向から当接してこの軒樋支持具本体を支持する当接面が形成され、前記当接面は、前記軒樋支持具本体の少なくとも長手方向中央から先端までの位置で当接可能に形成されている、補強部を有することを特徴とする。
この構成によれば、軒樋支持具本体が、補強部が有する張出壁部の当接面によって支持されることで、軒樋支持具の曲げ剛性が高められるため、軒樋支持具が軒樋の熱伸縮応力により湾曲することを防止することができ、従って、アーム部が弾性変形することが抑制され、弾性復帰した時の跳ね返り音を発生させ難い。
【０００７】
本発明の前記張出壁部の幅寸法は、先端に向かって漸次小さくなっていることが好ましい。
この構成によれば、張出壁部が、軒樋を覆う面積を可及的に小さくすることができる。
【０００８】
本発明の前記当接面は、前記軒樋支持具本体の前記長手方向中央と同先端との間の位置から前記長手方向中央と前記軒樋支持具本体の基端との間の位置に亘って、前記張出壁部の突出方向に沿って延在するとともに、前記軒樋支持具本体の幅方向両端を挟み込む寸法を空けて二つ形成されていてもよい。
この構成によれば、当接面によって軒樋支持具をその突出方向に亘って大きく支持することができ、軒樋支持具の湾曲がより効果的に防止される。
【０００９】
本発明は、前記張出壁部は、前記鼻隠し板に固定させる固定部を有していてもよい。
この構成によれば、張出壁部が鼻隠し板に直接固定されるため、軒樋支持具の揺動等の影響を受けることなく張出壁部を固定することができる。
【発明の効果】
【００１０】
本発明の樹脂製軒樋支持具は、補強部により軒樋支持具本体のアーム先端部が軒樋の熱伸縮応力により左右に弾性変形することが抑制されるので、音鳴りを防止することができるという効果を奏する。
【図面の簡単な説明】
【００１１】
【図１】本発明の第１の実施形態として示した軒樋支持具の補強部を軒樋支持具本体に装着した状態を示した斜視図である。
【図２】本発明の第１の実施形態として示した軒樋支持具の補強部を軒樋支持具本体に装着した状態を示した側面図である。
【図３】本発明の第１の実施形態として示した軒樋支持具の補強部を下方から視た斜視図である。
【図４】本発明の第１の実施形態として示した軒樋支持具の補強部を上方から視た斜視図である。
【図５】本発明の第１の実施形態として示した軒樋支持具の補強部を軒樋支持具本体に装着した状態を示した正面図である。
【図６】本発明の第２の実施形態として示した軒樋支持具の斜視図である。
【図７】本発明の第３の実施形態として示した軒樋支持具の斜視図である。
【図８】本発明の第３の実施形態として示した軒樋支持具の側面図である。
【発明を実施するための形態】
【００１２】
以下、本発明に係る実施形態の補強部を備えた樹脂製軒樋支持具（以下「軒樋支持具」ともいう）について、図面を参照して説明する。
図１に示すように、本実施形態の軒樋支持具Ｘ１は、軒樋支持具本体２の上部に着脱自在に嵌合され軒樋支持具本体２の左右の曲げに対する剛性を補強する補強部（本実施形態では「補強部材」ともいう）１Ａを備え、樹脂製軒樋の熱伸縮に起因する曲げ応力に抗する剛性を軒樋支持具本体２に付与するものである。
【００１３】
補強部材１Ａの取付対象となる軒樋支持具本体２は、平板状に形成された取付部３と、取付部３の表面から不図示の軒先の方向に突出した棒状体のアーム部４とを備えている。
取付部３は、略Ｔ字状に形成されており、左右方向に延びた壁部の両端３ａ，３ｂ近傍及び下方に延びた壁部の下端３ｃ近傍に不図示のビスを挿通させる挿通孔５が形成されている。
【００１４】
アーム部４は、板面６ａ，６ｂを上下方向に向けるとともに突出方向を図２に示す鼻隠し板Ｗから離間する方向とした板状の上側壁部６と、上側壁部６に対し間隔を空けた取付部３の下方から突出方向を上側壁部６の先端に向け、板面７ａ，７ｂを上下方向に向けて設けられた板状の下側壁部７と、これら上側壁部６及び下側壁部７の幅方向中央に沿って、上側壁部６と下側壁部７との間を塞ぐように立設された立設壁部８とを備えている。
【００１５】
アーム部４の先端４ａには、上方に突出し図２に示す軒先１２側の先端側の前方耳部１６を係止させる被係止部９が突設されており、アーム部４の下側壁部７の基端部７ｄには、僅かに上方に突出して鼻隠し板側の後方耳部１７を係止させる被係止部１０が設けられている。
軒樋支持具本体２の材質としては、ポリカーボネート樹脂等のエンジニアリングプラスチック（略称、エンプラ）が挙げられ、軒樋支持具本体２は、射出成形法等によって成型される。
【００１６】
また、図２に示すように、軒樋支持具本体２に取り付けられて支持される軒樋１１は、軒先１２の延在方向（図２においては紙面奥行き方向）を長手方向とする長尺な底板１３と、底板１３の短手方向の軒先１２側の先端部から立設する前方側板１４と、短手方向の建物側の端部から立設する後方側板１５とを備えている。
前方側板１４には、軒樋支持具本体２の被係止部９に係止させる前方耳部１６が形成され、後方側板１５には、軒樋支持具本体２の被係止部１０に係止させる後方耳部１７が形成されている。
軒樋１１の材質としては、塩化ビニル樹脂等の熱可塑性樹脂が挙げられ、表層は耐候性の優れるＡＥＳ樹脂（アクリロニトリル−エチレンプロピレンゴム−スチレン共重合体）で被覆され、内層は塩化ビニル樹脂である積層構造でもよい。
【００１７】
補強部材１Ａは、図３，図４に示すように、平板状に形成された張出壁部２０と、張出壁部２０を図２に示す取付部３を介して鼻隠し板Ｗ（図２参照。以下同様）に固定させる固定部２１とを備えている。
張出壁部２０は、平板状で平面視略台形に形成され、互いに平行に形成された上端縁（先端）２０ａ，下端縁（基端）２０ｂ及び両側端２０ｃ，２０ｃを有している。
図５に示すように、張出壁部２０の両側端２０ｃ，２０ｃは、アーム部４の幅方向両端４ｃ，４ｃから突出するように、すなわち両側端２０ｃ，２０ｃ間の幅寸法Ｌ１がアーム部４の幅寸法Ｌ２よりも大きくなるように形成されている。
【００１８】
図２に示すように、張出壁部２０の長手方向（すなわち上端縁２０ａと下端縁２０ｂとの間）の寸法Ｌ３は、下端縁２０ｂの基端面２０ｄを鼻隠し板Ｗに当接させた際に上端縁２０ａがアーム部４の突出方向中央から先端まで（矢印Ｐに示す範囲内）の位置（本実施形態では被係止部９の直近）に達するように設定され、常に張出壁部２０の上端縁２０ａから軒樋支持具本体２の先端側の被係止部９を突出させるように設定されている。
また、図４に示すように、張出壁部２０の上面２０ｓには、下端縁２０ｂに平行に形成された突条２２が複数形成されている。
【００１９】
図３に示すように、張出壁部２０は、その下面２０ｅに、平板状に形成され平坦な面２４を立ち上がらせて連設させた支持部２５を備えている。支持部２５は、上端縁２０ａから下端縁２０ｂに向かって複数（二つ）平行に延びている。互いに対向する支持部２５同士の面２４は、アーム部４を左右方向から当接させ得る当接面を構成している。
図５に示すように、当接面２４，２４同士の間の寸法Ｌ４は、アーム部４の幅寸法Ｌ２よりも僅かに大きく設定され、アーム部４を挟み込んでアーム部４を左右方向から当接可能となっている。この構成により、支持部２５の間にアーム部４を嵌合させ得るように、図３に示す嵌合部２６が形成されている。
【００２０】
補強部材１Ａを側面視した際の支持部２５の外形は、図２に示すように、アーム部４の下側壁部７の湾曲形状に略沿うように基端側から長さ方向中央部まで略一定の幅寸法で形成され、その後先端部に向かって漸次幅寸法が小さくなるように下端が上方に向かって傾斜している。
【００２１】
また、支持部２５の鉛直方向の長さ寸法Ｌ５は、アーム部４の鉛直方向の長さ寸法Ｌ６よりも小さく形成され、補強部材１Ａをアーム部４に嵌合させた際にアーム部４の立設壁部８の一部と下側壁部７が支持部２５から下方に突出するように形成されている。
支持部２５は、取付部３の厚さ寸法を残した張出壁部２０の下端縁２０ｂ近傍の位置まで設けられている。
【００２２】
図３に示すように、各支持部２５の基端２５ｂには、固定部２１が連設されている。
固定部２１，２１は、平板状に形成され、各支持部２５の基端２５ｂから支持部２５の延在方向に直交しかつ互いに離間する方向に延びているとともに、取付部３に重ねられるように形成されている。また、固定部２１には、図１に示す取付部３の挿通孔５に連通する貫通孔２７，２７が形成されている。
【００２３】
補強部材１Ａの材質としては、軒樋支持具本体２の材質と同じポリカーボネート樹脂等のエンジニアリングプラスチック（略称、エンプラ）が挙げられ、補強部材１Ａは、射出成形法等によって成型される。また、より曲げ剛性を強くするのであれば、耐食性金属であるステンレススチール等が挙げられる。
【００２４】
以上の構成の下に、補強部材１Ａは、図１に示すようにアーム部４を支持部２５に形成された嵌合部２６に嵌合させるとともに、固定部２１を取付部３の表面に当接させて貫通孔２７及び挿通孔５に不図示のビスを挿通させ、図２に示す鼻隠し板Ｗに固定可能となっている。そして、このように補強部材１Ａを設置した場合、図２に示すように、取付部３を介して固定部２１が鼻隠し板Ｗに固定されるとともに、張出壁部２０の基端面２０ｄが鼻隠し板Ｗに略当接するため、張出壁部２０の基端面２０ｄにおいても鼻隠し板Ｗに固定されることとなる。
【００２５】
次に、補強部材１Ａ、軒樋支持具本体２及び軒樋１１の設置方法及び補強部材１Ａを軒樋支持具本体２に装着した際の作用及び機能について説明する。
図１に示すように、補強部材１Ａを軒樋支持具本体２に装着するにあたっては、補強部材１Ａの嵌合部２６に軒樋支持具本体２のアーム部４を嵌合させた状態で、補強部材１Ａの固定部２１及び軒樋支持具本体２の取付部３を図２に示す鼻隠し板Ｗに当接させる。そして、固定部２１の各貫通孔２７，２７から不図示のビスを挿通し、取付部３の挿通孔５を通して鼻隠し板Ｗにビスを打ち付けることで、軒樋支持具Ｘ１の鼻隠し板Ｗへの設置が完了する。
【００２６】
このように軒樋支持具Ｘ１が鼻隠し板Ｗに設置されると、図２に示すように、軒樋支持具本体２の先端側の被係止部９は、張出壁部２０の上端縁２０ａから突出した状態となるので、この被係止部９及び基端側の被係止部１０のそれぞれに軒樋１１の前方耳部１６，後方耳部１７を係止させ、軒樋１１の設置が完了する。
【００２７】
上記のようにして軒樋支持具Ｘ１が鼻隠し板Ｗに設置されると、図５に示すように張出壁部２０の両側端２０ｃ，２０ｃがアーム部４の幅方向両端４ｃ，４ｃから突出するように張り出した構成となる。また、支持部２５に形成された当接面２４がアーム部４の幅（水平）方向両端４ｃ，４ｃに略当接するか僅かの隙間を空けて対向した状態となる。そして、補強部材１Ａは、図１，図２に示すように固定部２１において取付部３を介して鼻隠し板Ｗに強固に固定されるとともに、張出壁部２０の基端面２０ｄが鼻隠し板Ｗに当接して支持された状態となる。
【００２８】
以上のような補強部材１Ａ、軒樋支持具本体２及び軒樋１１の設置状態において、被係止部９に係止された軒樋１１（図２参照）が温度変化や外力により軒樋１１の長手方向に伸縮したり揺動したりした場合、図２に示す被係止部９と前方耳部１６との間の摩擦力により、軒樋１１がアーム部４を引っ張ろうとする。
【００２９】
しかし、図１に示すように、軒樋支持具本体２には補強部材１Ａが設置されているので、アーム部４が図２に示す軒樋１１の伸縮又は移動方向に引っ張られ、弾性変形しようとして支持部２５の当接面２４を押圧しても、支持部２５が固定部２１を介して鼻隠し板Ｗに強固に固定されるとともに、支持部２５が張出壁部２０に連設されているため、支持部２５が当接面２４においてアーム部４に当接して押し返し、アーム部４の左右方向への弾性変形を規制する。
【００３０】
すなわち、固定部２１を介して鼻隠し板Ｗに固定された支持部２５自体の剛性と、支持部２５に一体成形されるとともに鼻隠し板Ｗに支持された張出壁部２０より得られた高い剛性（すなわち反力）とが、被係止部９と図２に示す前方耳部１６との摩擦力を容易に上回り、音鳴りがする程度にアーム部４が湾曲する前に被係止部９と前方耳部１６との摩擦を解いてアーム部４の変形を弾性復帰させることができる。すなわち、張出壁部２０が、図５に示すようにアーム部４の幅方向両端４ｃ，４ｃから突出するように張り出されているとともに、図２に示す基端面２０ｄが鼻隠し板Ｗに水平方向に直接支持される構成となっているため、支持部２５の反力に抗してアーム部４が水平方向に湾曲することが困難となる。
【００３１】
したがって、軒樋支持具Ｘ１によれば、補強部材１Ａにより軒樋支持具本体２のアーム部４の左右方向への弾性変形を音鳴りが発生しない程度に抑制できるため、音鳴りを防止することができるという効果が得られる。
また張出壁部２０の上面２０ｓに突条２２が形成されているため、リブ効果により張出壁部２０の剛性を更に強化してアーム部４の湾曲をより有効に防止することができる。
【００３２】
また、図１に示すように、支持部２５に形成された当接面２４は、張出壁部２０の上端縁２０ａから下端縁２０ｂ（図３参照）の近傍まで連続して形成された構成となっているため、アーム部４の全体を当接面２４で支持することができ、アーム部４全体の剛性を補強して左右方向への弾性変形を確実に防止することができるという効果が得られる。
また、補強部材１Ａは、軒樋支持具本体２に嵌合自在に構成されているため、既設の軒樋支持具本体２に事後的に設置して、補強部材１Ａを備えた軒樋支持具Ｘ１とすることができるという効果が得られる。
【００３３】
また、張出壁部２０の幅寸法が上端縁２０ａに向かうにしたがって漸次小さくなっているため、図２に示す軒樋１１内に雨水を流入させる面積を可及的に確保することができるという効果が得られる。
また、図４に示すように、張出壁部２０に形成されている突条２２がリブ効果を発揮して、張出壁部２０の剛性を向上させているため、張出壁部２０を可及的に薄型に形成し、補強部材１Ａを軽量化することができるという効果が得られる。
【００３４】
なお、本実施形態において、固定部２１は、図１に示すように取付部３の表面に当接させ図２に示す鼻隠し板Ｗに固定される構成としたが、この固定部２１を取付部３を避けた位置に形成し、直接鼻隠し板Ｗに固定される構成としたものであってもよい。このような構成とすることで、軒樋支持具本体２を鼻隠し板Ｗに設置した後に、軒樋支持具本体２とは別個に補強部材１Ａを鼻隠し板Ｗに固定することができ、施工を容易にすることができるという効果が得られる。また、軒樋支持具本体２が揺動してもこの揺動にかかわりなく確実に固定されるという効果が得られる。
【００３５】
また、本実施形態において支持部２５は、図２に示すように、アーム部４の全体に亘って設けられた構成となっているが、少なくとも被係止部９を除いたアーム部４の長手方向中央から先端まで（矢印Ｐの範囲内）の間のいずれかの位置に当接するように設けられていれば、アーム部４の変形を効果的に防止することができるという本発明の作用及び機能を発揮して上記本発明の効果を奏することができる。
【００３６】
また、張出壁部２０は、図４に示すようにアーム部４の幅方向両端４ｃ，４ｃから張り出し、補強部材１Ａの湾曲を防止できるものであれば、台形以外の形状に形成されたものであってもよい。
また、図４に示す突条２２は、張出壁部２０に形成されていることが望ましいが必須ではない。
【００３７】
次に、本発明の第２の実施形態について図６を用いて説明する。本実施形態において第１の実施形態と同一の構成については同一の符号を付してその説明を省略し、主として第１の実施形態と異なる構成について説明する。
図６に示すように、本実施形態の補強部材１Ｂを備えた軒樋支持具Ｘ２は、分割された２つの分割体５０Ａ，５０Ｂを一対一組として備えている。
【００３８】
分割体（一方の分割体）５０Ａは、鼻隠し板Ｗにビス等を用いて固定される固定部２１と、固定部２１に交叉する不図示の軒先の方向に突出し、軒樋支持具本体２のアーム部４に沿ってアーム部４の一方の側端４ｃから離間する方向（矢印Ｙ１方向）に張り出した張出壁部５１とを備えている。
【００３９】
張出壁部５１は、平板上に形成され、平板面５１ａ，５１ｂを上下方向に向けて不図示の軒先の方向に延びている。張出壁部５１の幅寸法は、基端５１ｃから先端５２に向かって漸次小さくなるように形成されている。
張出壁部５１の先端５２には、被係止部９の近傍に向けて突出する支持部５３が形成されている。支持部５３の先端面５３ａはアーム部４を当接させる当接面５３ａとなっている。
分割体５０Ｂ（他方の分割体）は、分割体５０Ａと左右対称に形成されている。
【００４０】
補強部材１Ｂは、分割体５０Ａの当接面５３ａをアーム部４の先端部の幅方向一端側に向けてかつ先端部に極わずかな隙間を空けて配置されているとともに、分割体５０Ｂの当接面５３ａをアーム部４の先端部の幅方向他端側に向けて、かつ、先端部に極わずかな隙間を空けて配置されている。
【００４１】
したがって、図２に示す軒樋１１の伸縮等によりアームの先端が軒樋１１に引っ張られ、弾性変形しようとしても、被係止部９の近傍が当接面５３ａ，５３ａに当接することによりこれらの間に位置してアーム部４の動きを規制する。すなわち、これら当接面５３ａ，５３ａ間の幅以上にアーム部４が移動して被係止部９が図２に示す前方耳部１６に追従するのを防止することができる。
したがって、アーム部４が弾性変形した後、弾性復帰して跳ね返り音を発生する前にアーム部４を弾性復帰させることができるため、軒樋支持具本体２が跳ね返り音を発生することを防止することができるという効果が得られる。
【００４２】
なお、本実施形態において、張出壁部５１は、先端５２に被係止部９の近傍に向けて突出する支持部５３を備え、支持部５３の先端面を当接面５３ａとした構成となっている。しかし、補強部材１Ｂの構成は、張出壁部５１の先端５２に支持部５３を設けず、張出壁部５１をアーム部４に平行に突出させ、張出壁部５１の内側面５５，５５をアーム部４に平行に近接するように形成し、分割体５０Ａ，５０Ｂを設置した際に対向する内側面５５，５５の全体を当接面としたものであってもよい。
【００４３】
次に、本発明の第３の実施形態について図７，図８を用いて説明する。本実施形態において第１の実施形態と同一の構成については同一の符号を付してその説明を省略し、主として第１の実施形態と異なる構成について説明する。
本実施形態は、補強部１Ｃが軒樋支持具Ｘ３のアーム部４の一部として一体的に成形されている点で第１の実施形態と異なっている。すなわち、本実施形態は補強部１Ｃを備えた軒樋支持具Ｘ３となっている。
【００４４】
図７に示すように、軒樋支持具Ｘ３は、アーム部４の図１に示す上側壁部６に代えて第１の実施形態で示した張出壁部２０と同様の張出壁部４０を有した構成となっている。
具体的には、張出壁部４０は、図１に示す支持部２５を有さず、図８に示すように下端縁２０ｂの下面において取付部３の上端に連結し、張出壁部４０の幅方向中央部において立設壁部８と連結し、張出壁部４０の上端縁２０ａに相当する位置から被係止部９が突出しているとともに下側壁部７の先端と連結した構成となっている。
【００４５】
以上の構成を有する軒樋支持具Ｘ３は、図７に示すように張出壁部４０が下側壁部７よりも水平方向に大きく張り出した構成となっているため、アーム部４が左右方向にほとんど弾性変形できないようになっている。そして、張出壁部４０の端面４０ｄが取付部３と共に不図示の鼻隠し板に支持されているため、張出壁部４０が水平方向に揺動することを確実に防止できる。
【００４６】
したがって、図２に示す軒樋１１が温度変化等により長手方向に伸縮等した場合であっても、図２に示す前方耳部１６と図７，図８に示す被係止部９との摩擦力に対しアーム部４の弾性変形に抗する力の方が容易に上回り、アーム部４が跳ね返り音を発生させる程度に弾性変形することを防止することができる。したがって、軒樋支持具Ｘ３によれば、跳ね返り音の発生を効果的に防止することができるという効果が得られる。  
また、軒樋支持具Ｘ３は、補強部１Ｃと一体成形されているため、軒樋支持具Ｘ３の施工作業を簡便に行うことができるという効果が得られる。
【符号の説明】
【００４７】
Ｘ１，Ｘ２，Ｘ３  樹脂製軒樋支持具
１Ａ    軒樋支持具の補強部材（補強部）
１Ｂ    軒樋支持具の補強部材（補強部）
２      軒樋支持具本体
３      取付部
４      アーム部
４ｃ    軒樋支持具の側端（幅方向一端）
２０    張出壁部
２０ａ  上端縁（先端）
２０ｄ  基端面
２１    固定部
２４    当接面
５０Ａ  分割体
５０Ｂ  分割体
Ｐ      長手方向中央から先端までの位置
【図１】
2015200075.tif 000003
【図２】
2015200075.tif 000004
【図３】
2015200075.tif 000005
【図４】
2015200075.tif 000006
【図５】
2015200075.tif 000007
【図６】
2015200075.tif 000008
【図７】
2015200075.tif 000009
【図８】
2015200075.tif 000010